(57)【要約】【課題】ＬＥＤバックライトアセンブリ及びこれを利用する液晶表示装置を提供する。【解決手段】ＬＥＤを使用するバックライトアセンブリはボトムコンテナ、及び複数のＬＥＤ基板からなり、複数のＬＥＤ基板に配置されたＬＥＤ基板コネクタはＬＥＤ基板の縁のＬＥＤ付近に配置されてバックライトアセンブリの平面積を減らすことができる。また、ＬＥＤ基板のコネクタはＬＥＤ駆動基板近くに配置され、ＬＥＤ駆動基板はボトムコンテナ側部の空き空間に配置されることによってバックライトアセンブリの厚さを薄くすることができる。【選択図】図５
2010045017.tif 000002
【特許請求の範囲】
【請求項１】
印刷回路基板と、
前記印刷回路基板に装着された多数の光源と、
前記印刷回路基板に装着された光源回路基板コネクタと、
前記印刷回路基板に形成されて前記多数の光源と前記印刷回路基板コネクタを電気的に接続する電気信号パターンと、
を具備し、
前記印刷回路基板において、前記光源は互いに最も近くに隣接する光源間に第１間隔を有し、前記光源回路基板コネクタはそれと隣接する光源と前記第１間隔より短い第１距離だけ離隔されることを特徴とする光源回路基板。
【請求項２】
前記光源回路基板コネクタは、第１間隔だけ離隔された２つの光源の間に配置されることを特徴とする請求項１記載の光源回路基板。
【請求項３】
ボトム部と前記ボトム部の周辺に形成された縁部とを具備するボトムコンテナと、
複数の光源と光源回路基板コネクタとが装着されて前記ボトム部に配置される複数の光源回路基板と、
光源駆動基板コネクタが装着された光源駆動基板と、
前記光源駆動基板コネクタと接続される第１端部及び前記光源回路基板コネクタと接続される第２端部とを具備し、前記光源駆動基板で前記光源回路基板に信号を伝達する信号伝送ケーブルと、
を具備し、
少なくとも１つの前記縁部には前記光源駆動基板を収納する側部空間が形成されることを特徴とするバックライトアセンブリ。
【請求項４】
前記側部空間は、前記ボトム部から延長された傾斜部、前記傾斜部から外側方向に延長された平面部、及び前記平面部から垂直に延長された垂直部により形成されることを特徴とする請求項３記載のバックライトアセンブリ。
【請求項５】
前記光源駆動基板コネクタは、前記光源駆動基板の外面に装着されることを特徴とする請求項３記載のバックライトアセンブリ。
【請求項６】
前記光源駆動基板は、前記平面部に対向する内面及び前記内面の反対面である外面を具備し、前記内面には前記光源を駆動するための回路部品を装着し、前記外面には前記光源駆動基板コネクタを装着することを特徴とする請求項３記載のバックライトアセンブリ。
【請求項７】
前記信号伝送ケーブルの前記第１端部は、前記光源駆動基板コネクタと接続され、前記貫通ホールで第１折曲げ部が形成され、前記光源回路基板の縁付近で第２折曲げ部が形成され、前記信号伝送ケーブルの前記第２端部は、光源回路基板コネクタに接続されることを特徴とする請求項３記載のバックライトアセンブリ。
【請求項８】
前記側部空間は、前記ボトム部から延長された傾斜部、前記傾斜部から外側方向に延長された平面部、及び前記平面部から垂直に延長された垂直部により形成され、前記光源駆動基板は前記側部空間において前記傾斜部に配置されることを特徴とする請求項３記載のバックライトアセンブリ。
【請求項９】
前記側部空間は、前記ボトム部から延長された傾斜部、前記傾斜部から外側方向に延長された平面部、及び前記平面部から垂直に延長された垂直部により形成され、前記光源駆動基板は前記側部空間の下部に配置されることを特徴とする請求項３記載のバックライトアセンブリ。
【請求項１０】
傾斜部、平面部、垂直部を具備する側部及びボトム部を具備するボトムコンテナを準備し、
複数の光源と前記光源のうち、縁に位置する光源と隣接するように配置された光源回路基板コネクタとを具備する光源回路基板を前記ボトムコンテナの前記ボトム部に配置し、
前記光源回路基板に信号を供給する回路と光源駆動基板コネクタを具備する光源駆動回路と前記光源駆動回路の電磁波を遮蔽する遮蔽部材とを結合し、
前記遮蔽部材と結合された前記光源駆動基板を前記側部に収納し、
前記遮蔽部材を前記ボトムコンテナのボトム部に組立て、
前記光源回路基板コネクタと前記光源駆動基板コネクタとを信号伝送ケーブルに接続すること、
を含むバックライトアセンブリの組立て方法。
【発明の詳細な説明】
【技術分野】
【０００１】
本発明は、ＬＥＤバックライトアセンブリ及びこれを含む液晶表示装置に関する。より詳しくは、ＬＥＤ駆動基板がボトムコンテナの側部に配置されたＬＥＤバックライトアセンブリの構造に関する。
【背景技術】
【０００２】
日常生活における表示装置として、液晶表示装置が人気を集めている。画面を表示するために、液晶表示装置は、液晶パネルとバックライトアセンブリとからなる。詳しくは、バックライトは光を照射し、液晶パネルはバックライトから照射された光を選択的に透過させて映像を表示する。
【０００３】
バックライトで使用される光源としては、ガラス管とガラス管の両端に電極を備えた冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）とが主に使用されている。しかし、別の光源としてＬＥＤ（Ｌｉｇｈｔ  Ｅｍｉｔｔｉｎｇ  Ｄｉｏｄｅ：ＬＥＤ）も使用されており、ＬＥＤは冷陰極蛍光ランプよりカラーの表現力及び低消費電力に有利であるために注目されている。
【０００４】
このようなＬＥＤは、印刷回路基板（Ｐｒｉｎｔｅｄ  Ｃｉｒｃｕｉｔ  Ｂｏａｒｄ：ＰＣＢ）に装着されてＬＥＤ回路基板（ＬＥＤ−ＰＣＢ）を構成し、液晶パネルに充分な光を供給する。詳しくは、ＬＥＤ回路基板のＬＥＤは隣接するＬＥＤと一定の距離をおいて配置され、その一定の距離は各ＬＥＤの光量によって決まる。このような方法で、各ＬＥＤはＬＥＤ回路基板の全面に配置される。
【０００５】
さらに、ＬＥＤはＬＥＤ回路基板の縁から電気の供給を受ける。
【０００６】
また、ＬＥＤバックライトは、ボトム部を有するボトムコンテナをさらに具備する。ここで、ボトムコンテナのボトム部は、内側面でＬＥＤ回路基板を支持、固定し、外側面で外部からの信号の提供を受けて変換し、ＬＥＤ回路基板に変換した信号を伝達するＬＥＤ駆動基板を支持、固定する。
【０００７】
ＬＥＤ駆動基板は、ボトムコンテナのボトム部を介在してＬＥＤ回路基板と互いに離隔された状態で、ＬＥＤ回路基板と接続されている。このような２つの回路基板の接続のために、ＬＥＤバックライトアセンブリは、ケーブルとボトムコンテナに形成されたスルーホールとを有する。詳しくは、スルーホールは、ボトムコンテナのボトム面、或いは側面に形成されて、ケーブルの両端部がＬＥＤ回路基板とＬＥＤ駆動基板とを接続して通るようにする。
【０００８】
ここで、ＬＥＤ駆動基板は、ＬＥＤ回路基板と他の面に配置されており、ＬＥＤ駆動基板とＬＥＤ回路基板とを接続するケーブルは長く形成されて配置されており、ＬＥＤ回路基板とＬＥＤ駆動基板との接続も容易ではない。
【０００９】
また、ＬＥＤ回路基板の構造が複雑になると、ＬＥＤバックライトアセンブリ全体の大きさが大きくなる。ここで、ＬＥＤ回路基板の縁をカバーするために、ボトムコンテナの側面にモールドフレームを追加して配置すると、ＬＥＤバックライトアセンブリの平面積が特に大きくなる。
【００１０】
さらに、ＬＥＤ駆動基板がボトムコンテナのボトム部の外面に固定されて支持され、ＬＥＤ駆動基板の回路部品が外郭へ延長して形成されるとＬＥＤバックライトアセンブリの厚さも増加する。
【発明の概要】
【発明が解決しようとする課題】
【００１１】
本発明の技術的課題はこのような従来の問題点を解決するためのものであり、本発明のＬＥＤバックライトアセンブリのＬＥＤ回路基板コネクタの位置、ＬＥＤ駆動基板の位置、ボトムコンテナの構造を変更することで、液晶表示装置の大きさを最小化し、組立てを容易にすることができる。
【課題を解決するための手段】
【００１２】
前述の課題を解決するために、本発明の実施形態によるＬＥＤ回路基板は、充分な輝度及び均一度を有するように相互離隔して配置された複数のＬＥＤを具備する。また、各ＬＥＤに電気信号を供給するＬＥＤ回路基板コネクタは、ＬＥＤ回路基板のＬＥＤ配列のうち、縁に配置されたＬＥＤ付近に配置される。ここで、ＬＥＤ回路基板コネクタと縁のＬＥＤとの間の距離は、ＬＥＤ配列のＬＥＤ相互離隔距離より近く、ＬＥＤ回路基板コネクタは複数の縁のＬＥＤの間に配置されてもよい。
【００１３】
本発明の他の実施形態によれば、ＬＥＤ回路基板の反射部材は、ＬＥＤを露出させる開口部とＬＥＤ回路基板コネクタを覆うＬＥＤ回路基板コネクタカバー部とを具備し、ＬＥＤ回路基板上に配置される。ここで、ＬＥＤ回路基板コネクタはＬＥＤ相互離隔距離より短い距離で、縁のＬＥＤと離隔して配置され、ＬＥＤ回路基板のコネクタを覆うＬＥＤ回路基板コネクタカバーは液晶パネルの有効画面とオーバーラップされる。
【００１４】
本発明のさらに他の実施形態によれば、ＬＥＤ回路基板は、ボトム部と側部とを具備するボトムコンテナに囲まれて配置される。ここで、ボトム部はＬＥＤ回路基板を支持し、側部は平面部と側部との空間で各々光学部材とＬＥＤ回路基板とを支持する。
【００１５】
特に、側部はボトム部と接続された傾斜部と、光学部材を支持する平面部と、傾斜部と平面部と共に側部空間を定義する垂直部と、を具備する。側部空間にはＬＥＤ回路基板が配置され、ＬＥＤ駆動基板の回路部品が装着された面が平面部に対向している。
【００１６】
本発明の他の実施形態によれば、ＬＥＤバックライトアセンブリは、各々垂直に配置された複数のＬＥＤ回路基板を具備する。即ち、ＬＥＤ回路基板の長辺は、ＬＥＤバックライトアセンブリのボトムコンテナの長辺に対して垂直である。従って、ＬＥＤ回路基板コネクタは、ボトムコンテナの長辺付近に配置されて、ボトムコンテナの長辺付近または内部に配置されたＬＥＤ駆動基板と接続される。信号伝送ケーブルは、ＬＥＤ駆動基板とＬＥＤ回路基板コネクタとを接続する。ここで、信号伝送ケーブルは垂直に延長されないため、組立てが容易である。
【発明の効果】
【００１７】
前述の本発明の実施形態によるＬＥＤバックライトアセンブリによれば、ＬＥＤ駆動基板が側部空間に配置され、ＬＥＤ回路基板コネクタがＬＥＤ駆動基板と隣接して配置されるため、ＬＥＤバックライトアセンブリ全体の大きさが小さくなり、構造及び組立てが単純になる。
【図面の簡単な説明】
【００１８】
【図１】本発明の一実施形態によるＬＥＤ回路基板コネクタを具備するＬＥＤ回路基板の斜視図である。
【図２】図１のＬＥＤ回路基板上に配置されるＬＥＤ回路基板反射部を示す斜視図である。
【図３】本発明の一実施形態によるバックライトアセンブリの斜視図である。
【図４】本発明の一実施形態による図３のバックライトアセンブリのＡ−Ａ’の断面とバックライトアセンブリ上に配置された光学部材の断面とを示す複合断面図である。
【図５】本発明の一実施形態による図４のバックライトアセンブリに追加に配置されたＬＥＤ駆動基板の断面図である。
【図６】本発明の一実施形態による図５の側部空間の傾斜部にＬＥＤ駆動基板が配置されたバックライトアセンブリの断面図である。
【図７】本発明の一実施形態によるＬＥＤ回路基板コネクタとボトムコンテナのボトム部に形成されたスルーホールとによって、配置が決まる信号伝送ケーブルの配置形態を示す断面図である。
【図８】本発明の一実施形態によるＬＥＤ回路基板コネクタとボトムコンテナのボトム部に形成されたスルーホールとによって、配置が決まる信号伝送ケーブルの別の配置形態を示す断面図である。
【図９】本発明の一実施形態によるＬＥＤ回路基板コネクタとボトムコンテナのボトム部に形成されたスルーホールとによって、配置が決まる信号伝送ケーブルのさらに別の配置形態を示す断面図である。
【図１０】本発明の一実施形態によるバックライトアセンブリのコーナー部の斜視図である。
【図１１】図１０のバックライトアセンブリのボトムコンテナのコーナー部の斜視図である。
【図１２】本発明の一実施形態によるバックライトアセンブリのボトムコンテナのコーナー部の他の斜視図である。
【図１３】本発明の一実施形態による図１２の構造にＬＥＤ駆動基板シールドケースが固定されたことを示す斜視図である。
【図１４】本発明の一実施形態によるＬＥＤ駆動基板が配置されないボトムコンテナの縁部を示す斜視図である。
【図１５】本発明の一実施形態による図１４のバックライトアセンブリのＢ−Ｂ’の複合断面図である。
【図１６】本発明の一実施形態による側面光反射部材が一体化されたバックライトアセンブリの分解斜視図である。
【図１７】本発明の一実施形態による液晶表示装置の斜視図である。
【発明を実施するための形態】
【００１９】
以下、図面を参照しながら本発明の例示的な実施形態を詳しく説明する。しかし、本発明は下記の実施形態に限定されず、他の形態で実現することができる。ここで紹介する実施形態は、開示した内容がより完全になるように、そして、当業者に本発明の思想と特徴が充分に伝わるように提供する。図面において、各装置及び部材の長さ及び厚さは本発明を明確にするため、実際より誇張、或いは過小に図示し、また、各装置は本明細書において説明しない多様な付加部材をさらに具備することができる。各図面において類似する部材は同様の図面符号を利用して説明している。
【００２０】
図１は、本発明の一実施形態による複数のＬＥＤ及びＬＥＤ回路基板の端部に位置したＬＥＤ回路基板コネクタを示すＬＥＤ回路基板の斜視図である。
【００２１】
図１によれば、ＬＥＤ回路基板５００は、印刷回路基板（Ｐｒｉｎｔｅｄ  Ｃｉｒｃｕｉｔ  Ｂｏａｒｄ：ＰＣＢ）５１０、複数のＬＥＤ５２０、及びＬＥＤ回路基板コネクタ５３０を具備する。ここで、印刷回路基板５１０は、内在する電気回路基板パターン（図示せず）を利用して、各々のＬＥＤ５２０及びＬＥＤ回路基板コネクタ５３０を電気的に接続する。
【００２２】
ＬＥＤ回路基板５００は、限られた数のＬＥＤ５２０によって全面的に発光するため、各々のＬＥＤは、図１に示すように、隣接するＬＥＤと第１方向に第１間隔ｄ１ほど離隔され、第２方向に第２間隔ｄ２ほど離隔されて配置される。ここで、ＬＥＤ５２０は、全方位に同様の輝度を示すため、第１間隔ｄ１と第２間隔ｄ２とは同一であってもよい。
【００２３】
或いは、図１とは別に、ＬＥＤ回路基板５００のＬＥＤは限られた数のＬＥＤで、充分な輝度及び均一度を示す限り、三角形状、五角形状、蜂の巣状のなどの形状に配置されてもよい。このような構造において、ＬＥＤ間の間隔は互いに最も近く隣接するＬＥＤ間の距離と定義してもよい。他の実施形態として、複数個のＬＥＤグループがＬＥＤ回路基板５００上に配列され、各ＬＥＤグループは複数個のＬＥＤを含む構造を有してもよい。例えば、赤、緑、及び青のＬＥＤが各々のＬＥＤグループを形成し、隣接するＬＥＤグループ間の間隔をＬＥＤ間隔と定義してもよい。
【００２４】
ＬＥＤ回路基板５００の最も外側に配置されたＬＥＤ５２５と外辺５５０とは第３間隔ｄ３を形成するが、この第３間隔ｄ３は、外辺５５０が光をＬＥＤ回路基板５００側に反射する光反射部材（図示せず）に接するため、ＬＥＤ回路基板５００の中央の第１及び第２間隔（ｄ１、ｄ２）より短くてもよい。
【００２５】
ＬＥＤ回路基板コネクタ５３０は、回路基板５１０の末端に配置されると同時に各々のＬＥＤ５２０と電気的に接続されて、外部回路（図示せず）から伝達される電気信号を回路基板５１０を通じてＬＥＤ５２０に伝達する。ＬＥＤ回路基板コネクタ５３０は、外部回路の信号を各ＬＥＤに伝達できる集積回路（ｉｎｔｅｇｒａｔｅｄ  ｃｉｒｃｕｉｔ：ＩＣ、図示せず）に代替されてもよい。
【００２６】
図１に示したように、ＬＥＤ回路基板コネクタ５３０は最も外側に位置するＬＥＤ５２５の付近に配置されるが、最も外側に配置されたＬＥＤ５２５或いは隣接するＬＥＤ５２０と第７間隔ｄ７ほど離れている。ここで、第７間隔ｄ７は、ＬＥＤ回路基板コネクタ５３０が位置しない部分である第３間隔ｄ３より短い。また、ＬＥＤ回路基板コネクタは隣接する２つの最も外側に配置されたＬＥＤ５２５間に配置されてもよく、このような配置の場合、ＬＥＤ回路基板コネクタが回路基板の端部に配置される場合に比べてより小さいＬＥＤ回路基板を使用することができる。
【００２７】
図１のＬＥＤ回路基板は、反射部が追加配置された図２の構造で、さらに詳しく説明する。図２は、図１のＬＥＤ回路基板５００に各ＬＥＤ５２０を露出させる開放部とＬＥＤ回路基板コネクタ５３０を覆うＬＥＤ回路基板コネクタカバー５４４とを具備し、ＬＥＤ回路基板上に配置されるＬＥＤ回路基板反射部５４０を含むＬＥＤ回路基板の斜視図である。
【００２８】
図２によれば、ＬＥＤ回路基板５００は、ＬＥＤ回路基板反射部５４０が追加されることによって、各ＬＥＤ５２０から照射された光を反射する。
【００２９】
ここで、ＬＥＤ回路基板反射部５４０は、ＬＥＤ５２０から照射された光を遮断しないように、各ＬＥＤ５２０の位置と対応する部分に開放部５４２を含む。本実施形態において、開放部５４２は、平面上から見た際、ＬＥＤ５２０と同一形状を有する。
【００３０】
一方、ＬＥＤ回路基板反射部５４０は、それ自体が発光せず、また、光を反射しないＬＥＤ回路基板コネクタ５３０に対応する位置をＬＥＤ回路基板コネクタカバー５４４で覆う。ＬＥＤ回路基板コネクタカバー５４４がなければ、ＬＥＤ回路基板コネクタ５３０がバックライトアセンブリの外部から認識されると同時に、バックライトアセンブリからの光を均一な輝度にすることが難しくなる。ここで、ＬＥＤ回路基板コネクタ５３０を完全に覆うために、ＬＥＤ回路基板コネクタカバー５４４は、ＬＥＤ回路基板５１０の外辺より長く延長して形成されてもよい。本実施形態において、ＬＥＤ回路基板カバー５４４の長さは、ＬＥＤ回路基板コネクタ５３０の長さより長く、平面上から見た際、ＬＥＤ回路基板カバー５４４がＬＥＤ回路基板コネクタ５３０を完全にカバーする。例えば、ＬＥＤ回路基板カバー５４４のサイドは、ＬＥＤ回路基板反射部５４０のサイドと実質的に一致させてもよく、または反射部５４０のサイドより突出してもよい。
【００３１】
本発明の一実施形態によれば、ＬＥＤ回路基板コネクタカバー５４４を通じて、ＬＥＤ５２０とＬＥＤ回路基板コネクタ５３０とは、ＬＥＤバックライトアセンブリ内で同じ光学的環境に置かれる。言い換えれば、ＬＥＤ５２０とＬＥＤ回路基板コネクタ５３０とは、側面反射部材（図示せず）のような別途の部品によって分離されずに互いに隣接して配置されることにより、バックライトアセンブリで均一な光を発散する光学空間内に共に位置する。これによって均一な光を発散するバックライトアセンブリの大きさを小さくすることができる。
【００３２】
詳しくは、ＬＥＤ５２０各々は、バックライトアセンブリ（図示せず）の発光有効領域の垂直下に水平に位置し、ＬＥＤ回路基板コネクタもやはりバックライトアセンブリの発光有効領域の垂直下に水平に内部に位置しているため、ＬＥＤバックライトアセンブリ全体の大きさを小さくすることができる。また、バックライトアセンブリの発光有効領域（図４のＡＲ）は液晶パネルの表示領域と実質的に同様であるか、或いは微小に小さく形成されているため、ＬＥＤ回路基板コネクタ５３０は液晶パネルの表示領域の垂直下に水平に内部に位置しており、液晶表示装置全体の大きさを小さくすることができる。
【００３３】
より詳しい説明のために、図３及び図４を参照する図３及び図４は、ＬＥＤ回路基板コネクタと発光有効領域との関係を示す。図３は、本発明の一実施形態によるＬＥＤ回路基板コネクタが配置されたＬＥＤ回路基板が複数個具備されて、バックライトアセンブリの発光有効領域内で互いに平行に配置されたバックライトアセンブリの斜視図である。
【００３４】
図３によれば、図１及び図２のＬＥＤ回路基板５００がボトムコンテナ３００のボトム部（図示せず）に配置されている。詳しくは、ＬＥＤ回路基板５００は、各々ボトムコンテナ３００の短辺３０２と平行に配置されており、ＬＥＤ回路基板５００の駆動が容易となる。ＬＥＤ回路基板５００がボトムコンテナ３００の長辺３０３と平行に水平に配置される場合、各ＬＥＤ回路基板５００に内在されたＬＥＤ駆動信号線（図示せず）がボトムコンテナ３００の短辺３０２と平行となり、垂直に配置された場合より長くなることによって、抵抗及びコンデンサなどによる信号遅延が長くなるため、短辺３０２と平行に垂直に配置されたほうがＬＥＤ回路基板５００の駆動が容易になる。しかし、該技術分野において通常の技術を有する者であれば、ＬＥＤ回路基板が各々ボトムコンテナ３００の長辺と平行に配置されるように構造を変更することも本発明の権利範囲に属することがわかる。
【００３５】
ＬＥＤ回路基板コネクタ５３０各々は、ボトムコンテナ３００の下部に位置してボトムコンテナの傾斜部３１３方向に面している。また、ＬＥＤ回路基板コネクタ５３０各々は、ボトムコンテナの傾斜部３１３方向へ延長、形成されたＬＥＤ回路基板コネクタカバー５４４によって覆われている。ここで、ボトムコンテナ３００の傾斜部３１３はボトムコンテナの側部３１０の一部であり、ボトムプレート（図示せず）から外側に傾斜して形成されている。ボトムコンテナ側部３１０は、傾斜部３１３以外に垂直部３１１と平面部３１５とで構成される。
【００３６】
ここで、平面部３１５には、傾斜部３１３に接続されて、光学部材を含むバックライトアセンブリ２００を受容することのできる構造が追加で形成されてもよく、傾斜部３１３及び垂直部３１１を接続して側部空間（図示せず）を形成する構造が提供されてもよい。例えば、平面部３１５上に形成されて前記光学部材を受容する構造としては、段差部、突起、凹みなどを含む。そして、垂直部３１１は、平面部から延長されてボトムコンテナ３００の外郭領域を定義すると同時に、平面部３１５及び傾斜部３１３とともに側部空間（図示せず）を形成する。例えば、垂直部３１１は、ボトム部（図４の３３０）に垂直な方向に延長される。この際、垂直部３１１の一部が外側に折り曲げられて、二重の厚さを有するヘミング構造（Ｈｅｍｍｉｎｇ）構造であってもよい。
【００３７】
また、ボトムコンテナ３００は、縁部３２０を具備する。縁部３２０は、側部３１０と同様にＬＥＤ５２０と向かい合う内面部３２３、内面部３２３と接する平面部３２５、及び平面部３２５と接し、ボトムコンテナ３００の外郭の大きさを決める外面部３２１を具備する。ここで、傾斜部３１３と内面部３２３とは、ＬＥＤ５２０から照射された光をボトムコンテナ３００の内部空間に反射する側面光反射部材３５０で覆われている。
【００３８】
バックライトアセンブリ２００の光学的側面において、ボトムコンテナ３００の内部空間はＬＥＤ５２０から照射された光と、ＬＥＤ回路基板反射部５４０及び側面光反射部材３５０から反射された光で満ちている。従って、図３に示したように、側面光反射部材３５０の上辺は、バックライトアセンブリ２００の発光有効領域を定義する。そして、ＬＥＤ５２０とＬＥＤ回路基板コネクタ５３０とは、側面光反射部材３５０よりボトムコンテナ３００の内側に配置されるため、ＬＥＤ回路基板コネクタ５３０はバックライトアセンブリの発光有効領域内に配置される。
【００３９】
図４は、本発明の一実施形態による図３のバックライトアセンブリ２００のＡ-Ａ’の断面とバックライトアセンブリ２００上に配置された光学部材の断面とが示された断面図であり、この断面図はＬＥＤ回路基板コネクタ５３０とＬＥＤ回路基板コネクタカバー５４４とがバックライトアセンブリ２００の発光有効領域内に配置されることを示す。
【００４０】
図４によれば、バックライトアセンブリ２００には図３のボトムコンテナ３００の平面部３１５に光学部材４１０がさらに配置されている。光学部材４１０は、拡散プレート、拡散シート、集光シートのような光学経路を調節する何れの部材であってもよい。
【００４１】
図３において説明したように、バックライトアセンブリ２００は、光が生成及び混合された発光有効領域ＡＲを具備する。ここで、ボトムコンテナ３００の内部空間の出光部に位置する光学部材の種類及び配置によって、光の経路は変更され、最も外側に配置された光学部材から均一な光が出射される。特に、光は、傾斜部３１３とＬＥＤ回路基板コネクタ５３０とが下に配置された場合における光学部材４１０の発光有効領域ＡＲにおいて均一に分布される。即ち、ＬＥＤ回路基板コネクタ５３０に対応する光学部材４１０の縁から出射される光の輝度と光学部材４１０の中央部から出射される光の輝度とが同一である。
【００４２】
光学部材の最外部で光を均一に分布させる他の態様において、ＬＥＤ回路基板コネクタカバー５４４は、ＬＥＤ回路基板コネクタ５３０が光学部材４１０の外部から視認されないように、傾斜部３１３まで延長されている。本実施形態で、ＬＥＤ回路基板コネクタカバー５４４のサイドは、ボトム部３３０のサイドより突出されて傾斜部３１３に接する。一方、ＬＥＤ回路基板コネクタカバー５４４は、ＬＥＤ回路基板コネクタ５３０が外部から視認されなければ、他のあらゆる形態の分離された構造、或いは部品に代替が可能になる。他の代替部品としては、ＬＥＤ回路基板コネクタ５３０を覆う反射蓋或いはＬＥＤ回路基板コネクタ５３０に直接取り付けられたれたＰＥＴ材質の反射シートであってもよい。本実施形態において、ＬＥＤ回路基板コネクタカバー５４４がＬＥＤ回路基板コネクタ５３０の上面と３つの側面と、ＬＥＤ回路基板コネクタ５３０と傾斜部３１３との間の空間とをカバーして、ＬＥＤ回路基板コネクタ５３０を完全にカバーする。他の実施形態において、ＬＥＤ回路基板コネクタカバー５４４は、ＬＥＤ回路基板コネクタ５３０の上面と一側面と、ＬＥＤ回路基板コネクタ５３０と傾斜部３１３との間の空間とをカバーしてもよい。
【００４３】
側面光反射部材３５０が取り付けられた傾斜部３１３は、ＬＥＤ５２０の光を反射させることで、仮想光源としての役割をするため、傾斜部３１３もやはりバックライトアセンブリ２００の発光有効領域ＡＲにおいて、水平からの視点では内部に、垂直からの視点では下に位置してバックライトアセンブリ全体の大きさを小さくすることができる。傾斜部３１３は、ボトムコンテナ３００のボトム部３３０から外側に向って上方へ傾くように形成されるため、傾斜部３１３と垂直部３１１との間には空き空間４２０が形成されてバックライトアセンブリ２００の他の部品を収納することが可能である。また、ボトムコンテナの側部３１０が折り曲げられた形状を有しており、耐衝撃性が向上する。
【００４４】
図５は、本発明の一実施形態による、図４のバックライトアセンブリ２００にＬＥＤ駆動基板が追加して配置されたバックライトアセンブリの断面図である。
【００４５】
図５によれば、側部空間４２０がボトムコンテナ３００の傾斜部３１３と垂直部３１１との間に形成されている。側部空間４２０の内部には外面側にＬＥＤ駆動基板コネクタ４３１が配置され、内面側に回路部品４３３が配置されたＬＥＤ駆動基板４３０（図７参照）が収納される。
【００４６】
ＬＥＤ駆動基板４３０は、ＬＥＤ回路基板５００に電気的信号を伝達するための集積回路、抵抗、コンデンサといった回路部品４３３を具備するが、このような回路部品４３３は、ＬＥＤ駆動基板コネクタ４３１とは他面側に配置されると同時に、外部環境に露出されないことによって、外部からの機械的影響を少なくすることができる。
【００４７】
また、回路部品４３３が側部空間４２０に配置されることで、バックライトアセンブリ２００及び液晶表示装置全体の厚さを薄くすることができ、これは回路部品のうち、何れか１つの部品がＬＥＤ駆動基板コネクタより厚みがあった場合であっても同様である。
【００４８】
また、側部空間４２０が、上部が狭く、下部が広い構造を有しているため、ＬＥＤ駆動基板４３０の幅が広くても側部空間４２０の下部に容易に配置されることができる。
【００４９】
しかし、本発明の実施形態は、回路部品４３３とＬＥＤ駆動基板コネクタ４３１とが反対面に位置する実施形態に限定されず、各々が同じ面に配置されてもよい。説明したどのような配置においても、ＬＥＤ駆動基板の外面４３５はボトム部３３０の外面３３１より上に位置する。つまり、ＬＥＤ駆動基板の外面４３５は、ボトム部３３０の外面３３１より平面部３１５に近く位置し、これによってバックライトアセンブリ２００及び液晶表示装置の大きさを小さくすることができる。しかし、該技術分野において通常の知識を有する者であれば、ＬＥＤ駆動基板の外面４３５が平面部３１５側に近く位置するか、或いは平面部３１５の下部に配置するかを適宜変更することも本発明の権利範囲に属することがわかる。
【００５０】
ここで、ＬＥＤ駆動基板コネクタ４３１は、ＬＥＤ駆動基板４３０の外面４３５から突出して形成され、ボトム部３３０の外面３３１より外側に突出するように位置してＬＥＤ回路基板コネクタ５３０と電気的に接続される。しかし、このような突出構造を有するにも係らず、バックライトアセンブリ２００及び液晶表示装置は、ＬＥＤ駆動基板４３０がボトム部３３０より内側に位置するために小さく形成されることができる。
【００５１】
また、図５によれば、ＬＥＤ駆動基板４３０の電磁場を遮蔽するための遮蔽部材４４０がボトムコンテナ３００の側部空間４２０に追加して配置されてＬＥＤ駆動基板４３０と結合される。ＬＥＤ駆動基板４３０と結合、或いは取り付けるために、遮蔽部材４４０は、導電性接着部材を利用する取り付け方法、或るいはネジ止めのような固定方法を利用してもよい。
【００５２】
遮蔽部材４４０は、ＬＥＤ駆動基板４３０の全面を実質的に覆うことができるため、この場合、ＬＥＤ駆動基板４３０と遮蔽部材４４０とは１つの部品として認識されてもよい。また、遮蔽部材４４０は、ＬＥＤ駆動基板４３０の外面４３５を覆って隠す構造を有する。ここで、ＬＥＤ駆動基板４３０の外面４３５は、ボトム部３３０の外面３３１より平面部３１５に近く位置し、遮蔽部材４４０はボトム部３３０の外面３３１の延長線、またはそれより平面部３１５に近く配置されており、バックライトアセンブリ２００及び液晶表示装置の厚さを減少させる。
【００５３】
ＬＥＤ回路基板５００に電気信号を供給するために、信号伝送ケーブル６００がバックライトアセンブリ２００に備えられる。信号伝送ケーブル６００は、一端部がＬＥＤ回路基板コネクタ５３０の入口（図示せず）に挿入され、他の端部がＬＥＤ駆動基板コネクタの出口４３２に挿入される。詳しくは、ＬＥＤ回路基板コネクタの入口とＬＥＤ駆動基板コネクタの出口４３２とは対向しており、信号伝送ケーブル６００の長さを短くするために各出口４３２と入口は互いに近くに位置する。
【００５４】
図６は、本発明の一実施形態による図５の側部空間の傾斜部にＬＥＤ駆動基板が配置されたバックライトアセンブリの断面図である。
【００５５】
図６によれば、側部空間４２０がボトムコンテナ３００の傾斜部３１３と垂直部３１１との間に形成され、同じ面に回路部品４３３とＬＥＤ駆動基板コネクタ４３１とが形成されたＬＥＤ駆動基板４３０が傾斜部３１３に配置される。
【００５６】
ＬＥＤ駆動基板４３０は、ＬＥＤ回路基板５００に電気的信号を伝達するための回路、抵抗、コンデンサのような回路部品４３３を具備しているが、このような回路部品４３３は、ＬＥＤ駆動基板コネクタ４３１と同じ面に配置されて、側部空間４２０内に位置するために外部の機械的な影響を受けることが少ない。また、図６によれば、ＬＥＤ駆動基板４３０の電磁場を遮蔽するための遮蔽部材４４０がＬＥＤ駆動基板４３０をカバーするように配置されてもよい。
【００５７】
遮蔽部材４４０は、ＬＥＤ駆動基板４３０のほぼ全面を覆ってもよく、この場合、ＬＥＤ駆動基板４３０と遮蔽部材４４０とは１つの部品として認識されてもよい。遮蔽部材４４０は、ＬＥＤ駆動基板４３０を覆いながら側部空間４２０内に位置する。
【００５８】
他の形態として、遮蔽部材４４０は、ＬＥＤ駆動基板４３０の全面を覆うためにＬＥＤ駆動基板４３０と一体で構成されてもよい。即ち、遮蔽部材４４０は、一端部が側部空間４２０に接続され、他の端部がボトムコンテナ３００のボトム部３３０に接続されると同時に、ＬＥＤ駆動基板４３０の回路部品４３３とＬＥＤ駆動基板コネクタ４３１とは一定の距離を維持する。
【００５９】
以下、図５及び図６に開示された構造を利用して本発明の一実施例によるバックライトアセンブリの組立て方法について説明する。先ず、ボトム部３３０、傾斜部３１３、平面部３１５、及び垂直部３１１に取り囲まれて形成された側部空間４２０を有する側部３１０を具備したボトムコンテナ３００を準備する。その後、複数のＬＥＤ回路基板５００をボトム部３３０に配置する。ここで、各ＬＥＤ回路基板５００は、ＬＥＤ回路基板コネクタ５３０を具備し、ＬＥＤ回路基板コネクタ５３０は隣接するＬＥＤ回路基板のＬＥＤ回路基板コネクタと平行に配置される。ＬＥＤ駆動基板４３０は、遮蔽部材４４０と結合された後、ボトムコンテナ３００の側部空間４２０に固定される。
【００６０】
ここで、遮蔽部材４４０は、ＬＥＤ駆動基板４３０の電場及び磁場を遮蔽し、導体である金属で製作されたボトムコンテナ３００に電気的に直接接続されて、ＬＥＤ駆動基板４３０とボトムコンテナ３００とを間接的に電気的に接続させる。
【００６１】
前述の工程後に、ＬＥＤ回路基板５００とＬＥＤ駆動基板４３０とをボトムコンテナ３００に組立てた後、ＬＥＤ回路基板コネクタ５３０とＬＥＤ駆動基板コネクタ４３１とを信号伝送ケーブル６００で相互に接続する。最後に、必要であれば、光学部材４１０をボトムコンテナ３００の平面部３１５に配置してもよい。
【００６２】
前記バックライトアセンブリ２００の組立てにおいて、図５及び図６に示したように、ボトム部３３０の貫通ホール３３３がＬＥＤ回路基板の下方に配置されるため、信号伝送ケーブル６００は２回折り曲げられて配置される。即ち、ＬＥＤ回路基板５００の縁において最初に折り曲げられ、ＬＥＤ回路基板５００の下部の貫通ホール３３３において２回目に折り曲げられる。ここで、信号伝送ケーブル６００はその長さを短くするために、他の方向に折り曲げられることなく１つの方向のみに延長され、折り曲げられて配置される。
【００６３】
信号伝送ケーブル６００は他の形態で配置されてもよい。信号伝送ケーブル６００の他の形態を図７〜図９に示す。
【００６４】
図７〜図９は、本発明の幾つかの実施形態による、ＬＥＤ回路基板コネクタ５３０及びボトムコンテナ３００のボトム部３３０の幾つかの位置に形成された貫通ホール３３３によって配置が決まる信号伝送ケーブル６００の配置形態を示す断面図である。図７は、図５及び図６の信号伝送ケーブル６００の２回折り曲げられた形態を示すバックライトアセンブリの断面図である。
【００６５】
図７を参照すれば、ＬＥＤ回路基板コネクタ５３０はＬＥＤ回路基板５００の上面に、上方に向かってＬＥＤ５２０とともに取り付けられ、ＬＥＤ駆動基板コネクタ４３１はＬＥＤ駆動基板４３０の下面に下方に向かって取り付けられる。
【００６６】
そして、ボトム部３３０にはＬＥＤ回路基板５００の下に貫通ホール３３３が形成されている。より詳しくは、貫通ホール３３３はＬＥＤ回路基板コネクタ５３０とオーバーラップして配置されている。従って、図７の信号伝送ケーブル６００は、ＬＥＤ回路基板５００の縁を超えた地点で１回折り曲げられ、ボトム部３３０の貫通ホール３３３でもう１回折り曲げられて、合計２回折り曲げられる。例えば、信号伝送ケーブル６００はＳ字形状に折り曲げられてもよい。ここで、貫通ホール３３３は別途の接着テープ６２０で入口を塞がれており、外部粒子の侵入を防ぐことができる。
【００６７】
図８は、信号伝送ケーブル６００’が配置されたバックライトアセンブリの他の断面図である。
【００６８】
図７とは異なり、図８のボトム部３３０に形成された貫通ホール３３３’は、ＬＥＤ回路基板５００の縁を越えた地点に形成されており、信号伝送ケーブル６００’を通過させる。従って、信号伝送ケーブル６００’は逆方向に折り返される必要がなく、図７の信号伝送ケーブルより短く形成されることができる。
【００６９】
図９は、ＬＥＤ回路基板コネクタがＬＥＤが取り付けられた面の他面に取り付けられた場合の信号伝送ケーブル６００”の配置を示すバックライトアセンブリの断面図である。
【００７０】
図９を参照すれば、ＬＥＤ回路基板コネクタ５３０”はＬＥＤ駆動基板コネクタ４３１”と同様に下方に向かって取り付けられている。詳しくは、ＬＥＤ回路基板コネクタ５３０”の入口（図示せず）は、ボトムコンテナ３００の内部空間から突出されて、ＬＥＤ駆動基板コネクタ４３１”に対向している。即ち、ＬＥＤ回路基板コネクタ５３０”の一部がボトム部３３０の下部に突出されている。このようにＬＥＤ駆動基板コネクタ４３１”とＬＥＤ回路基板コネクタ５３０”とが対向すれば、図７または図８とは異なり、信号伝送ケーブル６００”は折り曲げられることがなく延長されて配置されることが可能である。従って、信号伝送ケーブル６００”の全体の長さを短くすることが可能になる。
【００７１】
ここで、ＬＥＤ回路基板コネクタ５３０がＬＥＤ回路基板５００において、下方に取り付けられてボトム部３３０の外部に延長された場合であっても、傾斜部３１３、平面部３１５及び垂直部３１１は側部空間を形成して、ＬＥＤ駆動基板コネクタ４３１を収納することができる。また、ＬＥＤ回路基板コネクタ５３０は発光有効領域ＡＲとオーバーラップして配置されることによって、バックライトアセンブリと液晶表示装置全体の大きさを小さくすることができる。
【００７２】
図１０は、本発明の一実施形態によるＬＥＤ駆動基板が取り付けられた側部を含むバックライトアセンブリのコーナー部の斜視図である。具体的に図１０は、図３のバックライトアセンブリをひっくり返した状態のコーナーを示した図である。
【００７３】
図１０によれば、バックライトアセンブリ２００は、ボトムコンテナ３００、及び遮蔽部材４４０と一体化されたＬＥＤ駆動基板（図示せず）を具備する。
【００７４】
ボトムコンテナ３００は、傾斜部３１３、平面部３１５、及び垂直部３１１によって取り囲まれた側部空間４２０を具備し、側部空間４２０にはＬＥＤ駆動基板（図示せず）が配置されている。
【００７５】
ここで、ＬＥＤ駆動基板（図示せず）は遮蔽部材４４０に固定されて一体化されるため、ボトムコンテナのボトム部３３０と垂直部３１１とに間接的に電気的に接続をされてもよい。
【００７６】
組立てにおいて、遮蔽部材４４０はボトム部３３０と第１固定構造６５０で固定されてもよく、垂直部３１１とは第２固定構造６６０で固定される。図５及び図６に示したように、第１固定構造６５０と第２固定構造６６０とは各々別の方向に向かって形成されている。第１及び第２固定構造は、各々遮蔽部材４４０とボトムコンテナ３００とに形成されたネジを締結するためのホールであってもよい。しかし、固定構造はボトムコンテナ３００に形成された突起及び遮蔽部材４４０に形成されたホールなどの他の形態を有してもよい。
【００７７】
遮蔽部材４４０がボトムコンテナ３００に固定されると、ＬＥＤ駆動基板及び駆動基板に取り付けられた各種の回路物（図示せず）は、遮蔽部材４４０の他の面に形成されるため、側部空間４２０の中に収納される。従って、遮蔽部材４４０の接続部４４５とボトムコンテナ３００のボトム部３３０とは、実質的に平らな面を成し、ボトム部３３０に形成された支持構造３６０より低い高さを有する。
【００７８】
さらに詳しくは、ボトム部３３０の支持構造３６０は、バックライトアセンブリ及び液晶表示装置を組立てる過程において、バックライトアセンブリ及び液晶装置を組立て台に乗せるための構造であり、組立て過程においてバックライトアセンブリ或いは液晶表示装置の他の部品が組立て台に接触することを防ぐ役割をする。従って、支持構造３６０は、液晶表示装置及びバックライトアセンブリの最外部を定義し、遮蔽部材４４０は液晶表示装置とバックライトアセンブリの厚さの中に収められる。
【００７９】
図１１は、本発明の一実施形態による、図１０のバックライトアセンブリのボトムコンテナの側部がその垂直部に直接ＬＥＤ駆動基板シールドケース固定構造を有することを示すボトムコンテナのコーナー部の斜視図である。
【００８０】
図１０及び図１１によれば、図６のボトムコンテナの側部３１０の垂直部３１１の縁には第２固定構造の貫通ホール６６３が形成されており、遮蔽部材４４０から垂直に延長して形成された折曲げ部６６５と重ねられる。そして、第１ネジ６６７が貫通ホール６６３と折曲げ部６６５とを同時に締結する。
【００８１】
貫通ホール６６３、折り曲げ部６６５、及び第１ネジ６６７とは別の方向で、図１０に示すように、第１固定構造には第２ネジ６６８が、接続部のホール６６９が形成された遮蔽部材４４０とボトム部ホール６６９’が形成されたボトム部３３０とを接続させる。
【００８２】
図１２は、本発明の一実施形態による、バックライトアセンブリのボトムコンテナ側部３１０の垂直部３１１がその内側に形成されたＬＥＤ駆動基板シールドケース固定構造を有するバックライトを示すボトムコンテナのコーナー部の別の斜視図である。
【００８３】
図１２によれば、図１１とは異なり、垂直部３１１からボトム部方向に延長形成された折曲げ部６６１に貫通ホール６６３’が形成される。ここで、遮蔽部材４４０は貫通ホール６６３’に対応する部分が平らに形成されてもよい。組立てにおいては、第３ネジ６６７’がボトム部３３０の外側から遮蔽部材の組立てホール６６５’に向かって挿入されて締結される。ここで、第４ネジ６６７”は第３ネジ６６７’が貫通ホール６６３’を締結する方向と同じ方向で遮蔽部材４４０とボトム部３３０を締結する。従って、自動化工程を含む組立て工程をより容易にすることができる。
【００８４】
本発明の他の実施形態として、垂直部３１１の折り曲げ部６６１は、垂直部３１１の縁３１２から平面部３１５に平行に位置して形成されて、ネジ締結の際のネジ頭部が垂直部３１１の縁３１２を越えないため液晶表示装置全体の厚さを増加させない構造で形成されてもよい。
【００８５】
図１３は、本発明の一実施形態による図１２の構造にＬＥＤ駆動基板シールドケースが固定されたことを示す斜視図である。
【００８６】
図１３によれば、第３及び第４ネジ（６６７’、６６７”）は、ボトムコンテナ３００の平面部３１５に対して同じ方向で同じ高さに締結されてもよい。詳しくは、折り曲げ部６６１が垂直部３１１の縁３１２より低く位置すると同時に、ボトムコンテナ３００のボトム部３３０と実質的に同じ高さに位置することによって折り曲げ部３１２に締結される第３ネジ６６７’の頭は全体液晶表示装置の厚さに影響を与えない。
【００８７】
以下、バックライトアセンブリで側部ではなく、縁部とその構造について説明する。
【００８８】
図１４は、本発明の一実施形態による、ＬＥＤ駆動基板が配置されていないボトムコンテナの縁部を示す斜視図である。
【００８９】
図１４によれば、複数の液晶回路基板５００は、ボトムコンテナ３００の複数の縁部３７０に取り囲まれている。ここで、一つの縁部は、ＬＥＤ回路基板コネクタ５３０の周辺に位置し、ＬＥＤ駆動基板（図示せず）を受容する。このＬＥＤ回路基板コネクタ５３０の周辺の縁部は、図３〜図１１及び図１２において説明した側部と同一であるため重複する説明は省略する。一方、他の縁部はＬＥＤ回路基板コネクタの周辺になく、ＬＥＤ駆動基板も受容しない。このＬＥＤ回路基板コネクタ５３０の周辺の縁部がこれから説明する図１５の縁部３２０である。
【００９０】
図１５は、本発明の一実施形態による図１４のバックライトアセンブリのＢ−Ｂ’の断面とバックライトアセンブリ上に配置された光学部材の断面を示す断面図である。
【００９１】
図１５によれば、バックライトアセンブリ２００は、ボトムコンテナ３００、ＬＥＤ回路基板５００、ＬＥＤ回路基板反射部５４０、及び光学部材４１０を具備する。
【００９２】
特に、ボトムコンテナ３００は、付近にＬＥＤ回路基板コネクタとＬＥＤ駆動基板とが存在しない縁部３２０を具備する。詳しくは、縁部３２０は水平部３２５、内壁３２３及び垂直部３２１を具備する。ここで、縁部３２０にはＬＥＤ駆動基板が配置されないため、水平部３２５は最小の幅で構成されることができる。即ち、光学部材４１０が水平部３２５によってのみ支持されれば、水平部３２５は光学部材４１０とオーバーラップする幅まで狭くされることができる。これとは別に、もし、ミドルフレーム（図示せず）のような部品が水平部３２５に支持されれば、水平部３２５の幅は光学部材４１０とミドルフレームとを支持できる幅ほどであれば適当である。
【００９３】
縁部３２０の内壁３２３は、ボトム部３３０と垂直な方向に形成されていることにより、縁部３２０全体の大きさを小さくすることができる。ここで、図１５には示さなかったが、側面反射部材３８０も内壁３２３に取り付けられて、垂直に配置されてもよい。
【００９４】
或いは、側面反射部材３８０は、図１５に示したように、傾斜して形成されてもよく、ＬＥＤ５２０から照射された光を効率的に反射することができる。また、他の実施形態として、図１５には示さなかったが、内壁３２３は傾斜の側面反射部材３８０を支持するために、同様に傾斜し形成されてもよく、ＬＥＤ５２０から照射された光を効率的に反射することができる。この場合、縁部３２０での側面反射部材３８０の傾斜は、図４〜図９において説明した側部での傾斜よりさらに垂直に近い傾斜で形成されてもよい。
【００９５】
側面反射部材３８０は、ボトムコンテナの全ての縁部３２０において一体で形成されてもよい。
【００９６】
図１６は、本発明の一実施形態による、側面反射部材が一体化されたバックライトアセンブリの分解斜視図である。
【００９７】
図１６によれば、バックライトアセンブリ２００は、ボトムコンテナ３００と一体化された側面反射部材３６５を具備する。ここで、一体化された側面反射部材３６５は、縁部３２０の内壁３２３と傾斜部３１３に合うように製作されて、ＬＥＤ５２０の光を効率的に反射することができる。そして、側面反射部材３６５は薄い膜のフィルム形態または薄いプラスチックで製作されてバックライト全体の大きさを小さくすることができる。
【００９８】
図１７は、本発明の一実施形態による、ＬＥＤ回路基板を取り囲んで収納するボトムコンテナ及びボトムコンテナと各々結合する液晶パネルと上部フレームとを示す液晶表示装置の斜視図である。
【００９９】
図１７には、ボトムコンテナ３００、複数のＬＥＤ回路基板５００、及び光学部材４１０からなるバックライトアセンブリ２００が図示されている。
【０１００】
バックライトアセンブリ２００に加え、ミドルフレーム７００がボトムコンテナ３００の側部３１０の平面部３１５及び水平部３２５によって支持されていると同時に、トップフレーム９００によって覆われている。ここで、平面部３１５及び水平部３２５に接するか或いは接しない上部にはイメージを表示する液晶パネル８００が配置される。そして、ミドルフレーム７００がボトムコンテナ３００と液晶パネル８００との間に介在される。
【０１０１】
前記構造において、ミドルフレーム７００の有無は別として、ＬＥＤ回路基板コネクタ５３０は、液晶パネル８００の下及びＬＥＤ５２０の周辺に位置して各々のＬＥＤ５２０が存在する光学的環境に置かれる。さらに、図９に示したように、ＬＥＤ回路基板コネクタ５３０が外部に向かって配置されて各々ＬＥＤ５２０の周辺にない場合でも、ＬＥＤ回路基板コネクタ５３０は液晶パネル８００のイメージ表示領域の下に位置するように配置される。このような場合には、ＬＥＤ回路基板コネクタ５３０は、バックライトアセンブリ２００の光学有効領域とオーバーラップして配置される。
【０１０２】
図１７の液晶表示装置の下部には、ＬＥＤ回路基板コネクタ５３０がＬＥＤ駆動基板４３０に隣接して配置されるため、短い信号伝送ケーブル（図示せず）でも相互に電気的接続が可能である。ＬＥＤ回路基板コネクタ５３０とＬＥＤ駆動基板４３０との接続が単純化され、容易になることによって、組立て時間の短縮及び製造費用の節減が可能になる。
【０１０３】
同時に、ＬＥＤ駆動基板４３０がボトムコンテナ３００の側部３１０に収納されるため、バックライトアセンブリ全体２００と液晶表示装置１００の外郭の大きさを小さくすることができる。
【０１０４】
以上、図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【産業上の利用可能性】
【０１０５】
本発明の実施形態によるバックライト及び液晶表示装置はディスプレイモニター、ＴＶなどに利用できる。
【符号の説明】
【０１０６】
１００    液晶表示装置
２００    バックライトアセンブリ
３００    ボトムコンテナ
３８０    側面反射部材
４１０    光学部材
４３０    ＬＥＤ駆動基板
４４０    遮蔽部材
５００    ＬＥＤ回路基板
５２０    ＬＥＤ
５３０    ＬＥＤ回路基板コネクタ
６００    信号伝送ケーブル
【図１】
2010045017.tif 000003
【図２】
2010045017.tif 000004
【図３】
2010045017.tif 000005
【図４】
2010045017.tif 000006
【図５】
2010045017.tif 000007
【図６】
2010045017.tif 000008
【図７】
2010045017.tif 000009
【図８】
2010045017.tif 000010
【図９】
2010045017.tif 000011
【図１０】
2010045017.tif 000012
【図１１】
2010045017.tif 000013
【図１２】
2010045017.tif 000014
【図１３】
2010045017.tif 000015
【図１４】
2010045017.tif 000016
【図１５】
2010045017.tif 000017
【図１６】
2010045017.tif 000018
【図１７】
2010045017.tif 000019